(57)【要約】【課題】回動レバーの錠止を確実にする。【解決手段】カバー部材１２の両側面には、コ字状に切り抜かれた舌片状の可動片１６の中間部に係止爪１７が形成されている。回動レバー１４はカバー部材１２の支持ピン１５に回動自在に支持されている。レバー本体部１９には、円弧状のカム溝２２が設けられ、更に係止爪１７と結合する係止孔２３が形成されている。  相手側ハウジングをハウジング１０に対して押し込み、回動レバー１４を回動させると、カム溝２２が被駆動ピンを駆動し、相手側ハウジングを引き寄せる。  この過程で、回動レバー１４は係止爪１７に当接し、係止爪１７を沈み込ませながら回動し、ハウジング同士の結合と同時に、係止爪１７は元の位置に復元して係止孔２３内に嵌まり込み、回動レバー１４のそれ以上の回動、逆方向の回動を不能とする錠止状態となる。【選択図】図１
2008288052.tif 000002
【特許請求の範囲】
【請求項１】
カム溝を有する回動レバーを備えると共に接続端子を収容するハウジングと、前記回動レバーを回動することにより相手側ハウジングを引き寄せて結合し前記接続端子を前記相手側ハウジングに収容した接続端子と接続させるレバー式コネクタにおいて、前記相手側ハウジングとの結合状態において、前記回動レバーの一部が前記ハウジングの一部と錠止する錠止機構を有することを特徴とするレバー式コネクタ。
【請求項２】
前記錠止機構は、前記回動レバーの両側面に設けた係止孔と、前記ハウジングの両側面から外側に突出し前記係止孔に嵌入する係止爪とから成ることを特徴とする請求項１に記載のレバー式コネクタ。
【請求項３】
前記係止爪は弾発性を有し、外側からの押し込みにより前記係止孔から外れるようにしたことを特徴とする請求項２に記載のレバー式コネクタ。
【請求項４】
前記係止爪は前記ハウジングに設け、前記回動レバーの回動方向に沿ってコ字状に切り抜いた可動片上に形成したことを特徴とする請求項３に記載のレバー式コネクタ。
【請求項５】
前記可動片の先端に解除用突起を設け、該解除用突起を押し込むことにより前記係止爪を前記係止孔から外す錠止解除機構を有することを特徴とする請求項４に記載のレバー式コネクタ。
【発明の詳細な説明】
【技術分野】
【０００１】
本発明は、多数の接続端子をそれぞれ収容した一対のハウジングを回動レバーによって結合するレバー式コネクタに関するものである。
【背景技術】
【０００２】
従来のこの種のレバー式コネクタは、例えば特許文献１のように相互に嵌合可能な一対のハウジングを備え、一方のハウジングは多数の雌型の接続端子を収容し、他方のハウジングは雌型の接続端子と接続し得る雄型の接続端子を収容している。また、一方のハウジングはカム溝を有する回動レバーを備え、他方のハウジングはカム溝に嵌合可能な被駆動ピンを備えている。
【０００３】
即ち、図７に示すように雄ハウジング１はカム溝２を有する回動自在の回動レバー３を備えており、雄ハウジング１に嵌まり込む雌ハウジング４には、回動レバー３のカム溝２に係合する被駆動ピン５が設けられている。
【０００４】
図８に示すように、雌ハウジング４を雄ハウジング１に向き合わせ、被駆動ピン５をカム溝２の入口に当てがい、回動レバー３を反時計廻りに回動すると、カム溝２により被駆動ピン５を引き付け、雌ハウジング４は大きな力で操作することなく軽い力で雄ハウジング１内に入り込み、接続端子同士の接続がなされる。
【０００５】
錠止機構として、回動レバー３の上部に設けた爪部６を雌ハウジング４に設けた受部７に嵌合して、回動レバー３が不時に逆回転しないように錠止し、この結合状態を維持するようになっている。
【０００６】
【特許文献１】特開２００３−１２３８９６号公報
【発明の開示】
【発明が解決しようとする課題】
【０００７】
しかしながら上述のレバー式コネクタの錠止機構は、構造が複雑で回動レバーに大きな力が加わると破損する虞れがあり、また、錠止状態を確認し難い問題がある。
【０００８】
また、回動レバーは相手側ハウジングに対し錠止しているので、相手側ハウジングを取り付けていない状態においては、回動レバーが不安定で運搬時等においてトラブルが発生し易い。
【０００９】
本発明の目的は、上述の問題点を解消し、簡易な構成で確実な錠止を維持できるレバー式コネクタを提供することにある。
【課題を解決するための手段】
【００１０】
上記目的を達成するための本発明に係るレバー式コネクタの技術的特徴は、カム溝を有する回動レバーを備えると共に接続端子を収容するハウジングと、前記回動レバーを回動することにより相手側ハウジングを引き寄せて結合し前記接続端子を前記相手側ハウジングに収容した接続端子と接続させるレバー式コネクタにおいて、前記相手側ハウジングとの結合状態において、前記回動レバーの一部が前記ハウジングの一部と錠止する錠止機構を有することにある。
【発明の効果】
【００１１】
本発明に係るレバー式コネクタによれば、結合状態における回動レバーとこの回動レバーを取り付けているハウジングとを錠止するので、相手側ハウジングと結合していなくとも回動レバーの回動防止が確実となり、安全性が確保される。
【発明を実施するための最良の形態】
【００１２】
本発明を図１〜図６に図示の実施例に基づいて詳細に説明する。
図１は実施例に係るレバー式コネクタの一方のハウジングの側面図、図２は断面図であり、合成樹脂材から成る略箱型のハウジング１０は、ハウジング本体１１とこのハウジング本体１１に取り付けたカバー部材１２とから成っている。ハウジング本体１１の内部には、電線を後部に接続した多数個の接続端子が収容され、ハウジング本体１１と一体の可撓性を有する係止アームによってそれぞれハウジング本体１１から抜け出さないように係止されている。また、ハウジング本体１１の外周部には、相手側ハウジングとの嵌合部をシールするための合成ゴムから成るシール部材１３が備えられている。
【００１３】
カバー部材１２はハウジング本体１１の後部に連結されており、ハウジング本体１１に挿着された接続端子に接続した電線を下方に引き出すようにされている。カバー部材１２には、相手側ハウジングをハウジング１０のハウジング本体１１側に引き寄せるための合成樹脂製の略コ字型の回動レバー１４が、カバー部材１２の両側面に設けられた支持ピン１５により回動自在に支持されている。
【００１４】
カバー部材１２の両側面の支持ピン１５を介したハウジング本体１１の反対側の一部には、回動レバー１４の回動方向に沿ってコ字状に切り抜かれた舌片状の可動片１６が形成され、この可動片１６の中間部には回動レバー１４を係止するための係止爪１７が外側に突出して設けられ、係止爪１７の両側には斜面部１７ａ、１７ｂが設けられている。可動片１６の自由端である先端には解除用突起１８が設けられ、係止爪１７よりも更に高く、外側に向けて突出されている。
【００１５】
回動レバー１４は支持ピン１５により矢印方向に回動自在に支持された左右一対のレバー本体部１９と、これらのレバー本体部１９を連結し操作部を兼ねた連結部２０とからコ字状に形成されている。支持ピン１５の外端部には２つの突起１５ａ、１５ｂが設けられており、この突起１５ａ、１５ｂは回動レバー１４の軸孔に設けられた２つの切込み２１と係合し、回動レバー１４に対し所定の角度範囲の回動を許容するようにしている。
【００１６】
また、回動レバー１４のレバー本体部１９には、相手側ハウジングの被駆動ピンを導入すると共に、この被駆動ピンを駆動して相手側ハウジングをハウジング本体１１側に引き寄せ、結合位置に駆動するための円弧状のカム溝２２が設けられている。更に、レバー本体部１９のカム溝２２と軸孔を介した反対側には、係止爪１７と結合する角型の係止孔２３が形成されている。
【００１７】
なお、係止爪１７と係止孔２３は、回動レバー１４がハウジング同士を結合状態とした位置において係止するようにされており、この係止位置は、回動レバー１４の回動半径が大きい位置に設けることが好適である。
【００１８】
ハウジング１０と相手側ハウジングの結合に際して、相手側ハウジングをハウジング本体１１に対して押し込み、回動レバー１４のカム溝２２の入口に被駆動ピンを当てがい、連結部２０を押して回動レバー１４を図３の矢印に示すように回動させると、回動レバー１４のカム溝２２が被駆動ピンを駆動し、相手側ハウジングをハウジング本体１１側に引き寄せる。これにより、ハウジング１０は相手側ハウジングと結合を始める。この過程で、回動レバー１４の縁部は係止爪１７の斜面部１７ａに当接し、図４に示すように係止爪１７を沈み込ませながら回動する。
【００１９】
ハウジング同士が結合されると、図５、図６に示すように係止爪１７は元の位置に復元して係止孔２３内に嵌入し、回動レバー１４のそれ以上の回動、逆方向の回動を不能とする。この係止は錠止状態となって錠止機構として作用し、ハウジング同士の姿勢を不変に保持することになる。
【００２０】
ここで、ハウジング１０と相手側ハウジングとを分離する場合には、両側の解除用突起１８を指で押し込むと、可動片１６は図４に示すように沈み込み、係止爪１７は係止孔２３から外れるので、回動レバー１４を逆方向に回動し、カム溝２２を用いて相手側ハウジングを押し出してハウジング同士の間隔を押し拡げる。そして、相手側ハウジングをハウジング１０から抜き出せばよい。
【図面の簡単な説明】
【００２１】
【図１】ハウジングの側面図である。
【図２】図１のＡ−Ａ線に沿った断面図である。
【図３】回動レバーの回動過程の側面図である。
【図４】図３のＢ−Ｂ線に沿った断面図である。
【図５】回動レバーを結合位置まで回動させた状態の側面図である。
【図６】図５のＣ−Ｃ線に沿った断面図である。
【図７】従来例のハウジング同士の斜視図である。
【図８】従来例のハウジング同士が結合した状態の斜視図である。
【符号の説明】
【００２２】
１０  ハウジング
１１  ハウジング本体
１２  カバー部材
１４  回動レバー
１５  支持ピン
１６  可動片
１７  係止爪
１８  解除用突起
１９  レバー本体部
２２  カム溝
２３  係止孔
【図１】
2008288052.tif 000003
【図２】
2008288052.tif 000004
【図３】
2008288052.tif 000005
【図４】
2008288052.tif 000006
【図５】
2008288052.tif 000007
【図６】
2008288052.tif 000008
【図７】
2008288052.tif 000009
【図８】
2008288052.tif 000010